(57)【要約】【課題】電子画像の鑑賞や印刷を容易に行うことのできる装置及び方法を提供することを目的とする。【解決手段】電子カメラ１が、電子画像が記憶される記憶部９と、電子画像をテレビ２の映像信号に変換する処理，テレビ２をコントロールするためのコントロール信号を生成する処理，及びテレビジョン放送が行われていない空きチャンネルを検出する処理等を行うコントローラ６と、生成されたコントロール信号を特定方向に無線送信する赤外線送信部１４と、検出された空きチャンネルの周波数を用いて、変換された映像信号を無線送信するテレビ電波送信部１５等を有する。【選択図】      図２
2005252867.tif 000002
【特許請求の範囲】
【請求項１】
電子画像が記憶される画像記憶手段と、
前記電子画像をテレビジョン受像機の映像信号に変換する変換手段と、
前記テレビジョン受像機をコントロールするためのコントロール信号を生成するコントロール信号生成手段と、
該コントロール信号生成手段により生成されたコントロール信号を特定方向に無線送信する第１の送信手段と、
テレビジョン放送が行われていない空きチャンネルを検出する空きチャンネル検出手段と、
該空きチャンネル検出手段により検出された空きチャンネルの周波数を用いて、前記変換手段により変換された映像信号を無線送信する第２の送信手段と、
を有することを特徴とする電子カメラ。
【請求項２】
前記空きチャンネル検出手段は、
テレビジョン放送信号を受信する受信手段と、
該受信手段により受信されたテレビジョン放送信号の信号強度を検出する信号強度検出手段と、
該信号強度検出手段により検出された信号強度が所定強度以下であったときのテレビジョン放送信号に係るチャンネルが前記空きチャンネルとして記憶される空きチャンネル記憶手段と、
該空きチャンネル記憶手段に記憶された空きチャンネルの中から一つの空きチャンネルを選択する空きチャンネル選択手段と、
を有し、
前記コントロール信号生成手段は、前記テレビジョン受像機のチャンネルを前記空きチャンネル選択手段により選択された空きチャンネルに切り換えるためのコントロール信号を生成する、
ことを特徴とする請求項１記載の電子カメラ。
【請求項３】
前記空きチャンネル検出手段は、
前記テレビジョン受像機からの信号を受信する受信手段と、
前記テレビジョン受像機のチャンネルを特定のチャンネルに切り換えるためのコントロール信号が前記第１の送信手段により無線送信された後に前記受信手段により受信された所定周波数の信号の信号強度を検出する信号強度検出手段と、
該信号強度検出手段により検出された信号強度が所定強度以下であったときの前記特定のチャンネルが前記空きチャンネルとして記憶される空きチャンネル記憶手段と、
該空きチャンネル記憶手段に記憶された空きチャンネルの中から一つの空きチャンネルを選択する空きチャンネル選択手段と、
を有し、
前記コントロール信号生成手段は、前記テレビジョン受像機のチャンネルを前記空きチャンネル選択手段により選択された空きチャンネルに切り換えるためのコントロール信号を生成する、
ことを特徴とする請求項１記載の電子カメラ。
【請求項４】
前記空きチャンネル検出手段は、
前記テレビジョン受像機からの信号を受信する受信手段と、
前記受信手段により受信された信号の周波数を検出する周波数検出手段と、
該周波数検出手段により検出された周波数に対応するチャンネルを特定するチャンネル特定手段と、
該チャンネル特定手段により特定されたチャンネルが前記空きチャンネルとして記憶される空きチャンネル記憶手段と、
該空きチャンネル記憶手段に記憶された空きチャンネルの中から一つの空きチャンネルを選択する空きチャンネル選択手段と、
を有し、
前記コントロール信号生成手段は、前記テレビジョン受像機のチャンネルを前記空きチャンネル選択手段により選択された空きチャンネルに切り換えるためのコントロール信号を生成する、
ことを特徴とする請求項１記載の電子カメラ。
【請求項５】
表示手段を更に有し、
前記空きチャンネル検出手段は、
地域コードと、該地域コードで特定される地域でテレビジョン放送が行われているチャンネルに係るチャンネル情報又は前記地域コードで特定される地域でテレビジョン放送が行われていないチャンネルに係るチャンネル情報とが記憶されるチャンネルデータベースと、
前記チャンネルデータベースに記憶されている地域コードを選択する地域選択手段と、
該地域選択手段により選択された地域コードを基に前記チャンネルデータベースを検索して一つの空きチャンネルを決定する空きチャンネル決定手段と、
を有し、
前記表示手段は、前記チャンネルデータベースに記憶されている地域コードに対応する地域を表示し、
前記コントロール信号生成手段は、前記テレビジョン受像機のチャンネルを前記空きチャンネル決定手段により決定された空きチャンネルに切り換えるためのコントロール信号を生成する、
ことを特徴とする請求項１記載の電子カメラ。
【請求項６】
被写体を撮像して電子画像を得る撮像手段と、
該撮像手段により得られた電子画像が記憶される画像記憶手段と、
前記電子画像をテレビジョン受像機の映像信号に変換する変換手段と、
前記テレビジョン受像機をコントロールするためのコントロール信号を生成するコントロール信号生成手段と、
該コントロール信号生成手段により生成されたコントロール信号を特定方向に無線送信する第１の送信手段と、
前記撮像手段により得られた電子画像に基づいてテレビジョン放送が行われていない空きチャンネルを検出する空きチャンネル検出手段と、
該空きチャンネル検出手段により検出された空きチャンネルの周波数を用いて、前記変換手段により変換された映像信号を無線送信する第２の送信手段と、
を有することを特徴とする電子カメラ。
【請求項７】
前記空きチャンネル検出手段は、
前記テレビジョン受像機のチャンネルを特定のチャンネルに切り換えるためのコントロール信号が前記第１の送信手段により無線送信された後に前記撮像手段による撮像を一回又は複数回行わせるための撮影命令信号を生成する撮影信号生成手段と、
前記撮影命令信号に応じて行われた撮像により得られた、前記テレビジョン受像機の表示画面が撮影された一つ又は複数の電子画像を基に、前記特定のチャンネルが空きチャンネルであるか否かを判定する空きチャンネル判定手段と、
該空きチャンネル判定手段により空きチャンネルであると判定されたときの前記特定のチャンネルが空きチャンネルとして記憶される空きチャンネル記憶手段と、
該空きチャンネル記憶手段に記憶された空きチャンネルの中から一つの空きチャンネルを選択する空きチャンネル選択手段と、
を有し、
前記コントロール信号生成手段は、前記テレビジョン受像機のチャンネルを前記空きチャンネル選択手段により選択された空きチャンネルに切り換えるためのコントロール信号を生成する、
ことを特徴とする請求項６記載の電子カメラ。
【請求項８】
前記空きチャンネル判定手段は、
前記複数の電子画像の中から二つの電子画像を抽出する画像抽出手段と、該画像抽出手段により抽出された二つの電子画像の相関値を算出する相関値算出手段とを有し、前記相関値算出手段により算出された相関値に基づいて前記特定のチャンネルが空きチャンネルであるか否かを判定する、
ことを特徴とする請求項７記載の電子カメラ。
【請求項９】
前記空きチャンネル判定手段は、
前記一つ又は複数の電子画像の中から一つの電子画像を抽出する画像抽出手段と、該画像抽出手段により抽出された電子画像の空間周波数分布を判定する空間周波数分布判定手段とを有し、該空間周波数分布判定手段による判定結果に基づいて前記特定のチャンネルが空きチャンネルであるか否かを判定する、
ことを特徴とする請求項７記載の電子カメラ。
【請求項１０】
テレビジョン放送が行われていない空きチャンネルを検出し、
テレビジョン受像機のチャンネルを前記検出した空きチャンネルに切り換えるためのコントロール信号を生成し、
該生成したコントロール信号を特定方向に無線送信し、
前記検出した空きチャンネルの周波数を用いて、前記テレビジョン受像機の映像信号に変換した電子画像に係る映像信号を無線送信する、
ことを特徴とする画像送信方法。
【請求項１１】
テレビジョン受像機のチャンネルを特定のチャンネルに切り換えるためのコントロール信号を無線送信した後に撮像による電子画像の取得を一回又は複数回行い、
前記撮像により得られた、前記テレビジョン受像機の表示画面が撮影された一つ又は複数の電子画像を基に、前記特定のチャンネルがテレビジョン放送の行われていない空きチャンネルであるか否かを判定し、
前記テレビジョン受像機のチャンネルを、前記判定により空きチャンネルであると判定したときの前記特定のチャンネルに切り換えるためのコントロール信号を生成し、
該生成したコントロール信号を特定方向に無線送信し、
前記判定により空きチャンネルであると判定したときの前記特定のチャンネルの周波数を用いて、前記テレビジョン受像機の映像信号に変換した電子画像に係る映像信号を無線送信する、
ことを特徴とする画像送信方法。
【請求項１２】
テレビジョン放送信号を受信し、
該受信したテレビジョン放送信号の信号強度を検出し、
該検出した信号強度が所定強度以下であったときのテレビジョン放送信号に係るチャンネルを、テレビジョン放送が行われていない空きチャンネルとして検出する、
ことを特徴とする空きチャンネル検出方法。
【請求項１３】
テレビジョン受像機のチャンネルを特定のチャンネルに切り換えるためのコントロール信号を無線送信し、
前記テレビジョン受像機からの所定周波数の信号を受信し、
該受信した信号の信号強度を検出し、
該検出した信号強度が所定強度以下であったときの前記特定のチャンネルをテレビジョン放送が行われていない空きチャンネルとして検出する、
ことを特徴とする空きチャンネル検出方法。
【請求項１４】
前記テレビジョン受像機からの信号を受信し、
該受信した信号の周波数を検出し、
該検出した周波数に対応するチャンネルを特定し、
該特定したチャンネルをテレビジョン放送が行われていない空きチャンネルとして検出する、
ことを特徴とする空きチャンネル検出方法。
【請求項１５】
テレビジョン受像機のチャンネルを特定のチャンネルに切り換えるためのコントロール信号を無線送信し、
撮像による電子画像の取得を複数回行い、
前記撮像により得られた、前記テレビジョン受像機の表示画面が撮影された複数の電子画像の中から二つの電子画像を抽出し、
該抽出した二つの電子画像の相関値を算出し、
該算出した相関値に基づいて、前記特定のチャンネルがテレビジョン放送の行われていない空きチャンネルであるか否かを判定し、
該判定により空きチャンネルであると判定したときの前記特定のチャンネルを空きチャンネルとして検出する、
ことを特徴とする空きチャンネル検出方法。
【請求項１６】
テレビジョン受像機のチャンネルを特定のチャンネルに切り換えるためのコントロール信号を無線送信し、
撮像による電子画像の取得を一回又は複数回行い、
前記撮像により得られた、前記テレビジョン受像機の表示画面が撮影された一つ又は複数の電子画像の中から一つの電子画像を抽出し、
該抽出した電子画像の空間周波数分布を判定し、
該判定の結果に基づいて前記特定のチャンネルがテレビジョン放送の行われていない空きチャンネルであるか否かを判定し、
該判定により空きチャンネルであると判定したときの前記特定のチャンネルを空きチャンネルとして検出する、
ことを特徴とする空きチャンネル検出方法。
【発明の詳細な説明】
【技術分野】
【０００１】
本発明は、電子画像の鑑賞や印刷を容易にする装置及び方法に関する。
【背景技術】
【０００２】
近年において、電子カメラの普及は目覚しく多くの者に利用されている。
一般に、電子カメラによる撮影により得られた電子画像（画像を表現する電子データ）の鑑賞や印刷は、パーソナルコンピュータ（ＰＣ）を用いて行われている。この場合、例えば、電子カメラとＰＣをＵＳＢ（ Universal Serial Bus ）等のケーブルを介して接続し、ＰＣ上で動作する画像閲覧用等のソフトウェアによって、電子画像の鑑賞が可能になり、またＰＣにプリンタを接続することで、電子画像の印刷が可能になっている。
【０００３】
また、電子画像の鑑賞は、テレビジョン受像機（テレビ）を用いて行うことも可能である。この場合、電子カメラとテレビをビデオケーブルを介して接続し、テレビの画面上に電子画像を表示することが可能になる。
また、電子カメラとプリンタをケーブルを介してダイレクトに接続し、電子画像のダイレクト印刷を可能にしたものもある。
【０００４】
一方で、特許文献１には、監視カメラから無線送信される映像信号をテレビジョン受像機により受信する監視カメラシステムであって、テレビジョン受像機が空きチャンネルを検出して空きチャンネル情報をモニタに表示し、その空きチャンネル情報に基づいて監視カメラに空きチャンネルが設定され、設定された空きチャンネルを用いて監視カメラから無線送信される映像信号をテレビジョン受像機が受信し映像をモニタに表示するシステムが記載されている。
【特許文献１】特開２０００−１２５２７９号公報
【発明の開示】
【発明が解決しようとする課題】
【０００５】
ところで、電子カメラの利用者は増えてきたものの、その中には、ＰＣやプリンタ等といったＩＴ（Information Technology）機器の取扱いに不慣れな者や高齢者も含まれている。これらの者にとって、前述のＰＣとの接続やソフトウェアの取扱い等は簡単なものではなく、電子画像の鑑賞や印刷を容易に行うことができない状況になる。
【０００６】
また、電子画像の鑑賞を行う場合に、特許文献１に記載されているシステムを適用することも考えられるが、このシステムでは、一般的な構成のテレビジョン受像機ではなく、特殊な構成のテレビジョン受像機が要求されるため、適用範囲が限定され、例えば、ユーザが電子カメラで撮影して得たデータを旅先など不特定の場所において再生しようとする場合を考慮すると適用することができない。
【０００７】
本発明は、上記実情に鑑み、電子画像の鑑賞や印刷を容易に行うことのできる装置及び方法を提供することを目的とする。
【課題を解決するための手段】
【０００８】
上記目的を達成するため、本発明の第１の態様に係る電子カメラは、電子画像が記憶される画像記憶手段と、前記電子画像をテレビジョン受像機の映像信号に変換する変換手段と、前記テレビジョン受像機をコントロールするためのコントロール信号を生成するコントロール信号生成手段と、該コントロール信号生成手段により生成されたコントロール信号を特定方向に無線送信する第１の送信手段と、テレビジョン放送が行われていない空きチャンネルを検出する空きチャンネル検出手段と、該空きチャンネル検出手段により検出された空きチャンネルの周波数を用いて、前記変換手段により変換された映像信号を無線送信する第２の送信手段と、を有する。
【０００９】
上記の構成によれば、空きチャンネルが検出し、テレビジョン受像機のチャンネルをその空きチャンネルに切り換えるためのコントロール信号を無線送信し、その空きチャンネルの周波数を用いて電子画像に係る映像信号を無線送信することで、テレビジョン受像機の表示画面に電子画像を表示させることが可能になる。
【００１０】
また、本発明の第２の態様に係る電子カメラは、前述の第１の態様において、前記空きチャンネル検出手段は、テレビジョン放送信号を受信する受信手段と、該受信手段により受信されたテレビジョン放送信号の信号強度を検出する信号強度検出手段と、該信号強度検出手段により検出された信号強度が所定強度以下であったときのテレビジョン放送信号に係るチャンネルが前記空きチャンネルとして記憶される空きチャンネル記憶手段と、該空きチャンネル記憶手段に記憶された空きチャンネルの中から一つの空きチャンネルを選択する空きチャンネル選択手段と、を有し、前記コントロール信号生成手段は、前記テレビジョン受像機のチャンネルを前記空きチャンネル選択手段により選択された空きチャンネルに切り換えるためのコントロール信号を生成する、ものである。
【００１１】
この構成によれば、受信したテレビジョン放送信号の信号強度が所定強度以下であった場合に、そのテレビジョン放送信号のチャンネルが空きチャンネルとして検出される。
また、本発明の第３の態様に係る電子カメラは、前述の第１の態様において、前記空きチャンネル検出手段は、前記テレビジョン受像機からの信号を受信する受信手段と、前記テレビジョン受像機のチャンネルを特定のチャンネルに切り換えるためのコントロール信号が前記第１の送信手段により無線送信された後に前記受信手段により受信された所定周波数の信号の信号強度を検出する信号強度検出手段と、該信号強度検出手段により検出された信号強度が所定強度以下であったときの前記特定のチャンネルが前記空きチャンネルとして記憶される空きチャンネル記憶手段と、該空きチャンネル記憶手段に記憶された空きチャンネルの中から一つの空きチャンネルを選択する空きチャンネル選択手段と、を有し、前記コントロール信号生成手段は、前記テレビジョン受像機のチャンネルを前記空きチャンネル選択手段により選択された空きチャンネルに切り換えるためのコントロール信号を生成する、ものである。
【００１２】
この構成によれば、テレビジョン受像機のチャンネルを特定のチャンネルに切り換えるためのコントロール信号が無線送信された後にテレビジョン受像機から受信した所定周波数の信号の信号強度が所定強度以下であった場合に、その特定のチャンネルが空きチャンネルとして検出される。
【００１３】
また、本発明の第４の態様に係る電子カメラは、前述の第１の態様において、前記空きチャンネル検出手段は、前記テレビジョン受像機からの信号を受信する受信手段と、前記受信手段により受信された信号の周波数を検出する周波数検出手段と、該周波数検出手段により検出された周波数に対応するチャンネルを特定するチャンネル特定手段と、該チャンネル特定手段により特定されたチャンネルが前記空きチャンネルとして記憶される空きチャンネル記憶手段と、該空きチャンネル記憶手段に記憶された空きチャンネルの中から一つの空きチャンネルを選択する空きチャンネル選択手段と、を有し、前記コントロール信号生成手段は、前記テレビジョン受像機のチャンネルを前記空きチャンネル選択手段により選択された空きチャンネルに切り換えるためのコントロール信号を生成する、ものである。
【００１４】
この構成によれば、例えば利用者がテレビジョン受像機のチャンネルを空きチャンネルに切り換えた後にテレビジョン受像機から受信した信号の周波数に対応するチャンネルが特定され、その特定したチャンネルが空きチャンネルとして検出される。
また、本発明の第５の態様に係る電子カメラは、前述の第１の態様において、表示手段を更に有し、前記空きチャンネル検出手段は、地域コードと、該地域コードで特定される地域でテレビジョン放送が行われているチャンネルに係るチャンネル情報又は前記地域コードで特定される地域でテレビジョン放送が行われていないチャンネルに係るチャンネル情報とが記憶されるチャンネルデータベースと、前記チャンネルデータベースに記憶されている地域コードを選択する地域選択手段と、該地域選択手段により選択された地域コードを基に前記チャンネルデータベースを検索して一つの空きチャンネルを決定する空きチャンネル決定手段と、を有し、前記表示手段は、前記チャンネルデータベースに記憶されている地域コードに対応する地域を表示し、前記コントロール信号生成手段は、前記テレビジョン受像機のチャンネルを前記空きチャンネル決定手段により決定された空きチャンネルに切り換えるためのコントロール信号を生成する、ものである。
【００１５】
この構成によれば、表示手段に表示された地域の中から、利用者の存する地域が指定されることで、それに対応するチャンネル情報がチャンネルデータベースから検索され、そのチャンネル情報に基づいて空きチャンネルが検出される。
本発明の第６の態様に係る電子カメラは、被写体を撮像して電子画像を得る撮像手段と、該撮像手段により得られた電子画像が記憶される画像記憶手段と、前記電子画像をテレビジョン受像機の映像信号に変換する変換手段と、前記テレビジョン受像機をコントロールするためのコントロール信号を生成するコントロール信号生成手段と、該コントロール信号生成手段により生成されたコントロール信号を特定方向に無線送信する第１の送信手段と、前記撮像手段により得られた電子画像に基づいてテレビジョン放送が行われていない空きチャンネルを検出する空きチャンネル検出手段と、該空きチャンネル検出手段により検出された空きチャンネルの周波数を用いて、前記変換手段により変換された映像信号を無線送信する第２の送信手段と、を有する。
【００１６】
上記の構成によれば、撮像手段がテレビジョン受像機の表示画面を撮像し、得られた電子画像に基づいて空きチャンネルを検出し、テレビジョン受像機のチャンネルをその空きチャンネルに切り換えるためのコントロール信号を無線送信し、その空きチャンネルの周波数を用いて電子画像に係る映像信号を無線送信することで、テレビジョン受像機の表示画面に電子画像を表示させることが可能になる。
【００１７】
また、本発明の第７の態様に係る電子カメラは、前述の第６の態様において、前記空きチャンネル検出手段は、前記テレビジョン受像機のチャンネルを特定のチャンネルに切り換えるためのコントロール信号が前記第１の送信手段により無線送信された後に前記撮像手段による撮像を一回又は複数回行わせるための撮影命令信号を生成する撮影信号生成手段と、前記撮影命令信号に応じて行われた撮像により得られた、前記テレビジョン受像機の表示画面が撮影された一つ又は複数の電子画像を基に、前記特定のチャンネルが空きチャンネルであるか否かを判定する空きチャンネル判定手段と、該空きチャンネル判定手段により空きチャンネルであると判定されたときの前記特定のチャンネルが空きチャンネルとして記憶される空きチャンネル記憶手段と、該空きチャンネル記憶手段に記憶された空きチャンネルの中から一つの空きチャンネルを選択する空きチャンネル選択手段と、を有し、前記コントロール信号生成手段は、前記テレビジョン受像機のチャンネルを前記空きチャンネル選択手段により選択された空きチャンネルに切り換えるためのコントロール信号を生成する、ものである。
【００１８】
この構成によれば、テレビジョン受像機のチャンネルを特定のチャンネルに切り換えるためのコントロール信号が送信された後に、撮像手段によりテレビジョン受像機の表示画面が撮像され、得られた電子画像に基づいて、その特定のチャンネルが空きチャンネルであるか否かが判定され、空きチャンネルであると判定されたときのその特定のチャンネルが空きチャンネルとして検出される。
【００１９】
また、本発明の第８の態様に係る電子カメラは、前述の第７の態様において、前記空きチャンネル判定手段は、前記複数の電子画像の中から二つの電子画像を抽出する画像抽出手段と、該画像抽出手段により抽出された二つの電子画像の相関値を算出する相関値算出手段とを有し、前記相関値算出手段により算出された相関値に基づいて前記特定のチャンネルが空きチャンネルであるか否かを判定する、ものである。
【００２０】
この構成によれば、テレビジョン受像機の表示画面が撮影された二つの電子画像の相関値に基づいて、前述の特定のチャンネルが空きチャンネルであるか否かの判定が行われる。
また、本発明の第９の態様に係る電子カメラは、前述の第７の態様において、前記空きチャンネル判定手段は、前記一つ又は複数の電子画像の中から一つの電子画像を抽出する画像抽出手段と、該画像抽出手段により抽出された電子画像の空間周波数分布を判定する空間周波数分布判定手段とを有し、該空間周波数分布判定手段による判定結果に基づいて前記特定のチャンネルが空きチャンネルであるか否かを判定する、ものである。
【００２１】
この構成によれば、テレビジョン受像機の表示画面が撮影された一つの電子画像の空間周波数分布が判定され、その判定結果に基づいて、前述の特定のチャンネルが空きチャンネルであるか否かの判定が行われる。
本発明の第１０の態様に係る画像送信方法は、テレビジョン放送が行われていない空きチャンネルを検出し、テレビジョン受像機のチャンネルを前記検出した空きチャンネルに切り換えるためのコントロール信号を生成し、該生成したコントロール信号を特定方向に無線送信し、前記検出した空きチャンネルの周波数を用いて、前記テレビジョン受像機の映像信号に変換した電子画像に係る映像信号を無線送信する。
【００２２】
上記の方法によれば、前述の第１の態様にて述べたことと同様に、テレビジョン受像機の表示画面に電子画像を表示させることが可能になる。
本発明の第１１の態様に係る画像送信方法は、テレビジョン受像機のチャンネルを特定のチャンネルに切り換えるためのコントロール信号を無線送信した後に撮像による電子画像の取得を一回又は複数回行い、前記撮像により得られた、前記テレビジョン受像機の表示画面が撮影された一つ又は複数の電子画像を基に、前記特定のチャンネルがテレビジョン放送の行われていない空きチャンネルであるか否かを判定し、前記テレビジョン受像機のチャンネルを、前記判定により空きチャンネルであると判定したときの前記特定のチャンネルに切り換えるためのコントロール信号を生成し、該生成したコントロール信号を特定方向に無線送信し、前記判定により空きチャンネルであると判定したときの前記特定のチャンネルの周波数を用いて、前記テレビジョン受像機の映像信号に変換した電子画像に係る映像信号を無線送信する。
【００２３】
上記の方法によれば、前述の第７の態様にて述べたことと同様に、テレビジョン受像機の表示画面に電子画像を表示させることが可能になる。
本発明の第１２の態様に係る空きチャンネル検出方法は、テレビジョン放送信号を受信し、該受信したテレビジョン放送信号の信号強度を検出し、該検出した信号強度が所定強度以下であったときのテレビジョン放送信号に係るチャンネルを、テレビジョン放送が行われていない空きチャンネルとして検出する。
【００２４】
上記の方法によれば、前述の第２の態様にて述べたことと同様に、空きチャンネルの検出が行われる。
本発明の第１３の態様に係る空きチャンネル検出方法は、テレビジョン受像機のチャンネルを特定のチャンネルに切り換えるためのコントロール信号を無線送信し、前記テレビジョン受像機からの所定周波数の信号を受信し、該受信した信号の信号強度を検出し、該検出した信号強度が所定強度以下であったときの前記特定のチャンネルをテレビジョン放送が行われていない空きチャンネルとして検出する。
【００２５】
上記の方法によれば、前述の第３の態様にて述べたことと同様に、空きチャンネルの検出が行われる。
本発明の第１４の態様に係る空きチャンネル検出方法は、テレビジョン受像機のチャンネルを特定のチャンネルに切り換えるためのコントロール信号を無線送信し、前記テレビジョン受像機からの信号を受信し、該受信した信号の周波数を検出し、該検出した周波数に対応するチャンネルを特定し、該特定したチャンネルをテレビジョン放送が行われていない空きチャンネルとして検出する。
【００２６】
上記の方法によれば、前述の第４の態様にて述べたことと同様に、空きチャンネルの検出が行われる。
本発明の第１５の態様に係る空きチャンネル検出方法は、テレビジョン受像機のチャンネルを特定のチャンネルに切り換えるためのコントロール信号を無線送信し、撮像による電子画像の取得を複数回行い、前記撮像により得られた、前記テレビジョン受像機の表示画面が撮影された複数の電子画像の中から二つの電子画像を抽出し、該抽出した二つの電子画像の相関値を算出し、該算出した相関値に基づいて、前記特定のチャンネルがテレビジョン放送の行われていない空きチャンネルであるか否かを判定し、該判定により空きチャンネルであると判定したときの前記特定のチャンネルを空きチャンネルとして検出する。
【００２７】
上記の方法によれば、前述の第８の態様にて述べたことと同様に、空きチャンネルの検出が行われる。
本発明の第１６の態様に係る空きチャンネル検出方法は、テレビジョン受像機のチャンネルを特定のチャンネルに切り換えるためのコントロール信号を無線送信し、撮像による電子画像の取得を一回又は複数回行い、前記撮像により得られた、前記テレビジョン受像機の表示画面が撮影された一つ又は複数の電子画像の中から一つの電子画像を抽出し、該抽出した電子画像の空間周波数分布を判定し、該判定の結果に基づいて前記特定のチャンネルがテレビジョン放送の行われていない空きチャンネルであるか否かを判定し、該判定により空きチャンネルであると判定したときの前記特定のチャンネルを空きチャンネルとして検出する。
【００２８】
上記の方法によれば、前述の第９の態様にて述べたことと同様に、空きチャンネルの検出が行われる。
【発明の効果】
【００２９】
本発明によれば、誰もが電子画像の鑑賞や印刷を容易に行うことができる。
【発明を実施するための最良の形態】
【００３０】
以下、本発明の実施例を図面を参照しながら説明する。
【実施例１】
【００３１】
図１は、本発明に係る実施例１の概念図である。
本実施例において、電子カメラ１は、通常のカメラとしての機能に加えて、電波塔３から送信されるテレビジョン放送電波を受信する機能（同図の（ａ））と、受信したテレビジョン放送電波から特定のテレビジョン放送チャンネル（以下単に「チャンネル」という）のテレビジョン放送信号を取り出し、その信号強度に基づいて、テレビジョン放送が行われていない空きチャンネルを検出する機能（同図の（ｂ））と、テレビジョン受像機（以下単に「テレビ」という）２をリモートコントロールするリモコン機能（同図の（ｃ））と、検出した空きチャンネルの周波数を用いて撮影画像に係る映像信号を無線送信する機能（同図の（ｄ））等を備えている。尚、撮影画像とは、電子カメラ１による撮影により得られた電子画像（画像を表現する電子データ）のことをいう。
【００３２】
これにより、電子カメラ１は、テレビジョン放送電波を受信して空きチャンネルを検出し、続いて、テレビ２をコントロールして、テレビ２の電源をＯＮさせ、またテレビ２のチャンネルをその空きチャンネルに切り換えさせ、続いて、その空きチャンネルの周波数を用いて撮影画像に係る映像信号をテレビ２に無線送信することで、テレビ２の表示画面に撮影画像を表示させることが可能になる。従って、利用者は撮影画像の鑑賞を容易に行うことが可能になる。
【００３３】
一方、テレビ２は、通常のテレビであって、テレビジョン放送電波を受信し、特定のチャンネルのテレビジョン放送信号に基づいて映像表示や音声再生を行う装置である。このテレビ２には、ビデオプリンタ４とＨＤ（ Hard Disc ）レコーダ５が接続されており、必要に応じてテレビ２の表示画面に表示されているシーンの印刷や記録が可能になっている。従って、利用者はテレビ２の表示画面に表示されている撮影画像の印刷や記録を容易に行うことが可能になる。
【００３４】
図２は、実施例１に係る、電子カメラ１とテレビ２の機能ブロック図である。
電子カメラ１は、ＣＰＵや制御プログラムが記憶されたメモリ等を内部に備えたものであってＣＰＵがその制御プログラムを読み出し実行することによって当該電子カメラ１全体の動作を制御するコントローラ６と、撮影指示（シャッタ指示）や再生指示等の各種の指示を入力する入力部７と、被写体を撮像し電子画像を得る撮像部８と、得られた電子画像が記憶される記憶部９と、電子画像等を表示する表示部１０と、テレビジョン放送電波を受信するテレビ電波受信部１１と、受信したテレビジョン放送電波から特定のチャンネルのテレビジョン放送信号を取り出し、その信号強度を検出して、その信号強度が所定強度以下であるか否かを判定する信号強度判定部１２と、その判定結果が所定強度以下であると判定されたときのテレビジョン放送信号のチャンネルが空きチャンネルとして記憶される空きチャンネル記憶部１３と、コントローラ６によって生成されたテレビ２をリモートコントロールするためのコントロール信号を赤外線を用いて特定方向に無線送信する指向性を有した赤外線送信部１４と、空きチャンネル記憶部１３に記憶されている空きチャンネルの中から選択された一つの空きチャンネルの周波数を用いて、コントローラ６によりテレビ２の映像信号に変換された電子画像に係る映像信号を無線送信するテレビ電波送信部１５等を有する。
【００３５】
尚、テレビ電波送信部１５は、一つの空きチャンネルの周波数を用いて映像信号を無線送信するものであるから、いわゆるテレビジョン放送電波を送信するものとも言える。
一方、テレビ２は、ＣＰＵや制御プログラムが記憶されたメモリ等を内部に備えたものであってＣＰＵがその制御プログラムを読み出し実行することによって当該テレビ２全体の動作を制御するコントローラ１６と、当該テレビ２をコントロールするためのコントロール信号を受信する赤外線受信部１７と、当該テレビ２の各部への電力供給をＯＮ／ＯＦＦするＴＶ電源部１８と、テレビジョン放送電波を受信するテレビ電波受信部１９と、テレビジョン放送電波から特定のチャンネルのテレビジョン放送信号を取り出し映像信号及び音声信号を得るチューナ２０と、その映像信号を表示する表示部２１と、その音声信号を再生するスピーカ２２等を有する。
【００３６】
図３は、実施例１に係る、電子カメラ１とテレビ２の動作を示すフローチャートである。
まず、電子カメラ１において、設定されているモードが撮影モードであるか、又は再生モードであるかを判定し（ステップ（以下単に「Ｓ」という）１）、撮影モードであるときにはＳ２へ進み、再生モードであるときにはＳ６へ進む。
【００３７】
ここで、モードが撮影モードの場合（Ｓ１が撮影）、続いて、利用者のシャッターボタンの押下（Ｓ２）に応じて入力部７が撮影指示を入力すると、撮像部８が撮像を行い（Ｓ３）、得られた電子画像が記憶部９に記憶される（Ｓ４）。この後、電源のＯＮ／ＯＦＦスイッチを検出する等して本動作を終了するか否かを判定し（Ｓ５）、判定結果がＹｅｓの場合には本動作を終了し、Ｎｏの場合にはＳ１へ戻る。
【００３８】
一方、モードが再生モードの場合（Ｓ１が再生）、続いて、電子カメラ１に設定されている再生先が表示部１０であるか、又はテレビ２であるかを判定し（Ｓ６）、表示部１０であるときにはＳ７へ進み、テレビ２であるときにはＳ１２へ進む。
ここで、再生先が表示部１０の場合（Ｓ６が表示部）、続いて、利用者の画像選択指示に応じて記憶部９に記憶されている電子画像を選択し（Ｓ７）、選択した電子画像を記憶部９から取得し（Ｓ８）、取得した電子画像を表示部１０が表示する（Ｓ９）。続くＳ１０では、前述のＳ５と同じ処理が行われる。
【００３９】
一方、再生先がテレビ２の場合（Ｓ６がテレビ）、続いて、Ｓ１１の処理と、Ｓ１２及びＳ１３の処理とが並列に行われる。Ｓ１１では、詳細は後述するが、空きチャンネルを自動的に検出し、その検出した空きチャンネルを、後のＳ１４の送信の際に用いる送信チャンネルとして決定し、また、テレビ２の電源をＯＮさせるためのコントロール信号をテレビ２に無線送信してテレビ２の電源をＯＮさせると共に、テレビ２のチャンネルを、検出した空きチャンネルに切り換えるためのコントロール信号をテレビ２に無線送信してテレビ２のチャンネルを空きチャンネルに切り換えさせる、といった処理が行われる。
【００４０】
Ｓ１２及びＳ１３では、前述のＳ７及びＳ８と同じ処理が行われる。
尚、本例では、Ｓ１１の処理と、Ｓ１２及びＳ１３の処理とを並列に行っているが、これらを直接に行うようにしても良い。
続いて、Ｓ１３で取得した電子画像をテレビ２の映像信号に変換し、テレビ電波送信部１５が、その映像信号を、Ｓ１１で決定した送信チャンネルの周波数を用いて無線送信する（Ｓ１４）。これにより、テレビ電波送信部１５は、いわゆるテレビジョン放送電波を送信したことになる。この後、電源のＯＮ／ＯＦＦスイッチを検出する等して本動作を終了するか否かを判定し（Ｓ１５）、判定結果がＹｅｓの場合には本動作を終了し、Ｎｏの場合にはＳ１１及びＳ１２へ戻る。
【００４１】
一方、テレビ２において、赤外線受信部１７が、Ｓ１１で電子カメラ１から送信された、テレビ２の電源をＯＮさせるためのコントロール信号を受信すると、ＴＶ電源部１８がテレビ２の各部への電力供給をＯＮし、テレビ２の電源がＯＮする。続いて、赤外線受信部１７が、同じくＳ１１で電子カメラ１から送信された、テレビ２のチャンネルを空きチャンネルに切り換えるためのコントロール信号を受信すると、テレビ２のチャンネルを、その空きチャンネルに切り換え設定する（Ｓ１６）。
【００４２】
続いて、テレビ電波受信部１９が、Ｓ１４で電子カメラ１から送信されたテレビジョン放送電波を受信すると（Ｓ１７）、そのテレビジョン放送電波から電子画像に係る映像信号を取得し（Ｓ１８）、その映像信号を表示部２１が表示する（Ｓ１９）。これにより、テレビ２の表示部２１には、電子画像が表示される。
【００４３】
図４は、前述のＳ１１の処理動作を詳細に示したフローチャートである。
本フローでは、まず、設定可能な全てのチャンネルの中から、本ステップにおいてまだ設定されていない一つのチャネルを設定し（Ｓ２０）、テレビジョン放送電波を受信する（Ｓ２１）。続いて、受信したテレビジョン放送電波からＳ２０で設定したチャンネルのテレビジョン放送信号を取り出し、その信号強度を検出し、その信号強度が所定強度以上であるか否かを判定し（Ｓ２２）、その判定結果がＹｅｓの場合にはＳ２０へ戻り、Ｎｏの場合には、この時に、Ｓ２０にて設定されているチャンネルを空きチャンネルとして空きチャンネル記憶部１３に記憶する（Ｓ２３）。
【００４４】
尚、本例では、テレビジョン放送信号の信号強度が所定強度以上であるか否かを判定し、その信号強度が所定強度以上である場合に、そのチャンネルをテレビジョン放送が行われているチャンネルとし、それが所定強度以上でない場合に、そのチャンネルをテレビジョン放送が行われていない空きチャンネルとしたが、テレビジョン放送信号の信号強度が所定強度以下であるか否かを判定し、その信号強度が所定強度以下である場合に、そのチャンネルをテレビジョン放送が行われていない空きチャンネルとし、それが所定強度以下でない場合に、そのチャンネルをテレビジョン放送が行われているチャンネルとすることもできる。
【００４５】
Ｓ２３が終わると、続いて、設定可能な全てのチャンネルをＳ２０で設定したか否かを判定し（Ｓ２４）、その判定結果がＮｏの場合にはＳ２０へ戻り、Ｙｅｓの場合には、空きチャンネル記憶部１３に記憶されている空きチャンネルの中から選択した一つの空きチャンネルを、テレビ電波送信部１５による送信の際に使用するチャンネル（送信チャンネル）として決定する（Ｓ２５）。尚、本ステップで決定される送信チャンネルは、例えば、空きチャンネル記憶部１３に最初に記憶された空きチャンネルである。
【００４６】
続いて、テレビ２の電源をＯＮさせるためのコントロール信号を生成し、そのコントロール信号を赤外線送信部４が無線送信し（Ｓ２６）、続いて、テレビ２のチャンネルをＳ２５で決定された送信チャンネルに切り換えるためのコントロール信号を生成し、そのコントロール信号を赤外線送信部４が無線送信する（Ｓ２７）。但し、Ｓ２６及びＳ２７の赤外線送信の際には、赤外線送信部４の指向方向がテレビ２の赤外線受信部１７へ向けられるものとする。
【００４７】
以上の実施例１によれば、電子カメラ１は、テレビジョン放送電波を受信して空きチャンネルを検出し、その空きチャンネルの周波数を用いて撮影画像に係る映像信号をテレビ２に送信することで、テレビ２に撮影画像を表示させることができる。これにより、利用者は、電子カメラ１で撮影した画像をテレビ２で容易に鑑賞することができるようになり、また必要に応じて、テレビ２に接続されているビデオプリンタ４やＨＤレコーダ５を用いて撮影画像の印刷や記録もできるようになる。
【００４８】
尚、実施例１の空きチャンネル検出動作において、空きチャンネルが一つ検出されたところで、その空きチャンネルを、Ｓ２５の送信チャンネルとして決定するようにすることも可能である。
【実施例２】
【００４９】
本実施例において、実施例１と異なる点は、電子カメラ１の空きチャンネル検出手法である。
図５は、本発明に係る実施例２の概念図である。
本実施例において、電子カメラ１は、実施例１のテレビジョン放送電波を受信する機能を備えていない代わりに、テレビ２の漏れ電波を受信する機能（同図の（ｅ））を備え、空きチャンネル検出機能は、受信した漏れ電波に基づいて空きチャンネルを検出するものである。
【００５０】
これにより、電子カメラ１は、テレビ２をコントロールして、テレビ２の電源をＯＮさせ、またテレビ２のチャンネルを特定のチャンネルに切り換えさせた上で、テレビ２から生じる漏れ電波を受信することで、その漏れ電波に基づいて空きチャンネルを検出することが可能になる。
【００５１】
図６(a) は、実施例２に係る、電子カメラ１とテレビ２の機能ブロック図である。
同図(a) の電子カメラ１において、実施例１に係る電子カメラ１と異なる構成は、図２のテレビ電波受信部１１及び信号強度判定部１２を備えていない代わりに、テレビ２からの漏れ電波を受信する漏れ電波受信部２３と、漏れ電波から一定の中間周波数の信号を取り出し、その信号強度を検出して、その信号強度が所定強度以上であるか否かを判定する漏れ電波信号強度判定部２４を備えている点である。尚、空きチャンネル記憶部１３には、漏れ電波信号強度判定部２４が一定の中間周波数の信号強度が所定強度以上であると判定した時にテレビ２に設定されているチャンネルが、空きチャンネルとして記憶されるようになる。
【００５２】
一方、実施例２に係るテレビ２の構成は、実施例１に係るものと同じである。
図６(b) は、テレビ２の一部構成を示した図であり、漏れ電波受信部２３が受信する漏れ電波について説明する図である。尚、同図(b) に示した構成は、通常のテレビの一部構成を示したものでもある。
【００５３】
同図(b) の例において、高周波増幅部２６は、空中線２５により入力されたＲＦ（ Radio Frequency ）信号のうち、テレビ２に設定されているチャンネルの周波数の信号を通過させて増幅し混合器２７へ出力する。一方、局部発振部２８は、テレビ２に設定されているチャンネルに対応する周波数の発振信号を混合器２７へ出力する。混合器２７は、高周波増幅部２６の出力信号と局部発振部２８からの発振信号とを混合し、中間周波数の信号（いわゆるＩＦ（ Intermediate Frequency ）信号）を出力する。フィルタ２９は、混合器２７の出力信号のうち、差信号となる一定の中間周波数の信号のみを通過させる。中間周波増幅部３０は、フィルタ２９を通過した信号を増幅し復調部３１へ出力する。復調部３１は、中間周波増幅部３０の出力信号を復調し、映像信号及び音声信号を取得する。
【００５４】
このような構成において、仮に、高周波増幅部２６の出力信号をｆ１とし、局部発振部２８からの発振信号をｆ２とすると、フィルタ２９を通過する信号は、差信号となる一定の中間周波数の信号であるｆ１−ｆ２となる。ここで、テレビ２に設定されているチャンネルにてテレビジョン放送が行われている場合には、差信号であるｆ１−ｆ２の信号がフィルタ２９を通過し、一定の中間周波数の信号が中間周波増幅部３０に入力することになるが、そのチャンネルにてテレビジョン放送が行われていない場合には、そのチャンネルの周波数の信号はノイズのみとなって高周波増幅部２６の出力信号がほぼ０になることから、差信号であるｆ１−ｆ２の信号はフィルタ２９を通過しないことなり、中間周波増幅部３０に何れも入力しないことになる。
【００５５】
そこで、本実施例に係る電子カメラ１は、このような現象を利用して、フィルタ２９を通過する一定の中間周波数の信号により生じる漏れ電波を受信し、その漏れ電波から、その一定の中間周波数の信号を取り出して信号強度を検出し、その信号強度が所定強度以上であるか否かを判定することによって、テレビジョン放送が行われていない空きチャンネルを検出するようにしたものである。
【００５６】
続いて、本実施例に係る、電子カメラ１とテレビ２の動作について説明する。
前述のとおり、本実施例に係る動作は、空きチャンネルの検出動作が、実施例１に係る動作と異なる。すなわち、図３に示した動作のうち、空きチャンネル検出に係るＳ１１の処理動作の内容が異なる。そこで、ここでは、実施例２に係るＳ１１の処理動作及びそれに付随するテレビ２の動作を説明し、その他の処理動作については説明を省略する。
【００５７】
図７は、実施例２に係るＳ１１の処理動作及びそれに付随するテレビ２の動作を示したフローチャートである。
本フローでは、まず、電子カメラ１において、コントローラ６がテレビ２の電源をＯＮさせるためのコントロール信号を生成し、そのコントロール信号を赤外線送信部１４が無線送信する（Ｓ３１）。一方、テレビ２において、赤外線受信部１７がそのコントロール信号を受信すると、ＴＶ電源部１８がテレビ２の各部への電力供給をＯＮし、テレビ２の電源がＯＮする（Ｓ３２）。
【００５８】
Ｓ３１の後、電子カメラ１では、コントローラ６が、設定可能な全てのチャンネルの中から、本ステップにおいてまだ設定されていない一つのチャネルを設定し（Ｓ３３）、テレビ２のチャンネルをＳ３３で設定したチャンネルに切り換えるためのコントロール信号を生成し、そのコントロール信号を赤外線送信部１４が無線送信する（Ｓ３４）。一方、テレビ２において、赤外線受信部１７がそのコントロール信号を受信すると、コントローラ１６が、テレビ２のチャンネルを、受信したコントロール信号に応じたチャンネルに切り換える（Ｓ３５）。
【００５９】
続いて、電子カメラ１では、漏れ電波受信部２３がテレビ２からの漏れ電波を受信し（Ｓ３６）、その漏れ電波から、前述のフィルタ２９を通過する一定の中間周波数の信号を取り出して信号強度を検出し、その信号強度が所定強度以上であるか否かを判定し（Ｓ３７）、その判定結果がＹｅｓの場合にはＳ３３へ戻り、その判定結果がＮｏの場合には、この時に、Ｓ３３の処理によって設定されているチャンネルを、空きチャンネルとして空きチャンネル記憶部１３に記憶する（Ｓ３８）。
【００６０】
尚、本例では、その信号強度が所定強度以上であるか否かを判定し、その信号強度が所定強度以上である場合に、そのチャンネルをテレビジョン放送が行われているチャンネルとし、それが所定強度以上でない場合に、そのチャンネルをテレビジョン放送が行われていない空きチャンネルとしたが、その信号強度が所定強度以下であるか否かを判定し、その信号強度が所定強度以下である場合に、そのチャンネルをテレビジョン放送が行われていない空きチャンネルとし、それが所定強度以下でない場合に、そのチャンネルをテレビジョン放送が行われているチャンネルとすることもできる。
【００６１】
続いて、設定可能な全てのチャンネルを設定したか否かを判定し（Ｓ３９）、その判定結果がＮｏの場合にはＳ３３へ戻り、Ｙｅｓの場合にはＳ４０へ進む。
以降のＳ４０乃至Ｓ４２では、前述の図３のＳ２５乃至Ｓ２７と同じ処理が行われる。
以上の実施例２によれば、電子カメラ１は、テレビ２から受信した漏れ電波から一定の中間周波数の信号を取り出しその信号強度を検出することで空きチャンネルを検出し、その空きチャンネルの周波数を用いて撮影画像に係る映像信号をテレビ２に送信することで、テレビ２に撮影画像を表示させることができる。これにより、利用者は、電子カメラ１で撮影した画像をテレビ２で容易に鑑賞すること等ができるようになる。
【００６２】
尚、実施例２の空きチャンネル検出動作において、空きチャンネルが一つ検出されたところで、その空きチャンネルを、Ｓ４０の送信チャンネルとして決定するようにすることも可能である。
【実施例３】
【００６３】
本実施例において、実施例１、又は２と異なる点は、電子カメラ１の空きチャンネル検出手法である。実施例３に係る空きチャンネル検出手法は、実施例１に係るものとは異なるものの、テレビ２からの漏れ電波を受信して空きチャンネルを検出する点では実施例２と同じである。但し、受信する漏れ電波を、局部発振部２８からの漏れ電波としている点が実施例２と異なる。
【００６４】
図８(a) は、実施例３に係る、電子カメラ１とテレビ２の機能ブロック図である。
同図(a) の電子カメラ１において、実施例２に係る電子カメラ１と異なる構成は、図６(a) の赤外線送信部１４、漏れ電波受信部２３、及び漏れ電波信号強度判定部２４を備えていない代わりに、局部発振部２８の漏れ電波を受信する局部発振漏れ電波受信部３２と、受信した漏れ電波の周波数を検出する漏れ電波周波数検出部３３と、検出した漏れ電波の周波数からチャンネルを特定するチャンネル特定部３４を備えている点である。尚、空きチャンネル記憶部１３には、チャンネル特定部３４により特定されたチャンネルが、空きチャンネルとして記憶される。
【００６５】
一方、実施例３に係るテレビ２の構成は、基本的には実施例２に係るものと同じであるが、図８(a) では、赤外線受信部１７を不図示とすると共に、利用者の操作に応じてチャンネル設定を行うチャンネル設定部３５を明示している。尚、本実施例においては、テレビ２がリモコン機能を備えていても、或いは備えていなくても良く、利用者が自由にテレビ２のチャンネルを切り換えられるものであれば良い。
【００６６】
図８(b) は、テレビ２の一部構成を示した図であり、局部発振漏れ電波受信部３２が受信する漏れ電波について説明する図である。
同図(b) の構成は、図６(b) に示したものと同じであるので詳細な説明は省略するが、チャンネル設定部３５が、利用者のチャンネル操作に応じたチャンネルを設定すると、局部発振部２８は、前述のとおり、設定されたチャンネルに対応する周波数の発振信号を混合器２７へ出力する。これにより、局部発振部２８からは、その発振信号に応じた漏れ電波が放射される。
【００６７】
そこで、本実施例に係る電子カメラ１は、このような現象を利用して、利用者がテレビ２の表示画面を見てテレビジョン放送の行われていないチャンネルをテレビ２に設定した後に、その時の局部発振部２８からの漏れ電波を受信し、その漏れ電波の周波数を検出し、その周波数に対応するチャンネルを特定することによって、テレビジョン放送が行われていない空きチャンネルを検出するようにしたものである。
【００６８】
続いて、本実施例に係る、電子カメラ１とテレビ２の動作について説明する。
前述のとおり、本実施例に係る動作は、空きチャンネルの検出動作が、実施例２に係る動作と異なる。すなわち、図３に示した動作のうち、空きチャンネル検出に係るＳ１１の処理動作の内容が異なる。そこで、ここでは、実施例３に係るＳ１１の処理動作及びそれに付随するテレビ２の動作を説明し、その他の処理動作については説明を省略する。
【００６９】
図９は、実施例３に係るＳ１１の処理動作及びそれに付随するテレビ２の動作を示したフローチャートである。
本フローでは、利用者によって電子カメラ１がテレビ２の近くに置かれた上で、まず、テレビ２において、利用者の操作に応じてテレビ２の電源がＯＮし（Ｓ４６）、チャンネル設定部３５が、利用者の操作に応じたチャンネルを設定する（Ｓ４７）。但し、ここでは、利用者は、テレビジョン放送の行われていないチャンネルを設定するようにテレビ２を操作するものとする。
【００７０】
これにより、局部発振部２８からは、Ｓ４７で設定したチャンネルに対応する周波数の発振信号に応じた漏れ電波が放射される（Ｓ４８）。
一方、電子カメラでは、このテレビ２の局部発振部２８からの漏れ電波を局部発振漏れ電波受信部３２が受信し（Ｓ４９）、受信した漏れ電波の周波数を漏れ電波周波数検出部が検出し（Ｓ５０）、検出した周波数に対応するチャンネルをチャンネル特定部が特定する（Ｓ５１）。
【００７１】
尚、本実施例では、電子カメラ１が、予め、局部発振部２８が出力する発振信号に係るチャンネルと周波数との対応関係を示した情報を有しており、この情報に基づいてチャネル特定部３４がチャンネルを特定するものである。
続いて、Ｓ５１で特定したチャンネルが、空きチャンネルとして空きチャンネル記憶部１３に記憶され（Ｓ５２）、その空きチャンネルを、テレビ電波送信部１５による送信の際に使用するチャンネル（送信チャンネル）として決定する（Ｓ５３）。
【００７２】
本実施例においては、テレビ２の電源のＯＮと、テレビジョン放送の行われていない空きチャンネルの設定を、既に利用者が前述のＳ４６及びＳ４７で行っているので、Ｓ５３の後に、テレビ２の電源ＯＮや空きチャンネルへの切り換えに係る処理（図４のＳ２６及びＳ２７、又は図７のＳ４１及びＳ４２のような処理）を行わず、そのまま本フローが終了する。また、それに伴って、図３のＳ１６の処理も行われない。
【００７３】
以上の実施例３によれば、電子カメラ１は、テレビ２の局部発振部２８から受信した漏れ電波の周波数を検出することで空きチャンネルを検出し、その空きチャンネルの周波数を用いて撮影画像に係る映像信号をテレビ２に送信することで、テレビ２に撮影画像を表示させることができる。これにより、利用者は、電子カメラ１で撮影した画像をテレビ２で容易に鑑賞すること等ができるようになる。
【実施例４】
【００７４】
本実施例において、実施例１、２、又は３と異なる点は、電子カメラ１の空きチャンネル検出手法である。
図１０は、本発明に係る実施例４の概念図である。
本実施例において、電子カメラ１は、実施例１のテレビジョン放送電波を受信する機能や、実施例２又は３のテレビ２からの漏れ電波を受信する機能を備えていない代わりに、地域毎のチャンネル情報が記憶されたチャンネルデータベース（同図の（ｆ））を備えており、空きチャンネル検出機能は、利用者の指示に応じて選択した地域に対応するチャンネル情報から空きチャンネルを検出するものである。
【００７５】
これにより、電子カメラ１は、利用者の存する地域が利用者により指示されることで、その指示に応じて選択した地域に対応するチャンネル情報をチャンネルデータベースから取得し、そのチャンネル情報から空きチャンネルを検出することが可能になる。
図１１は、実施例４に係る、電子カメラ１とテレビ２の機能ブロック図である。
【００７６】
同図の電子カメラ１において、実施例１に係る電子カメラ１と異なる構成は、図２のテレビ電波受信部１１及び信号強度判定部１２を備えていない代わりに、地域毎の、地域コードと該地域コードに対応するチャンネル情報が記憶されているチャンネルＤＢ（データベース）３６を備えている点である。尚、チャンネルＤＢ３６に記憶されるチャンネル情報は、テレビジョン放送が行われていない空きチャンネルを示したチャンネル情報、或いは、テレビジョン放送が行われているチャンネル及び全チャンネルを示したチャンネル情報である。
【００７７】
一方、実施例４に係るテレビ２の構成は、実施例１に係るものと同じである。
続いて、本実施例に係る、電子カメラ１とテレビ２の動作について説明する。
前述のとおり、本実施例に係る動作は、空きチャンネルの検出動作が、実施例１に係る動作と異なる。すなわち、図３に示した動作のうち、空きチャンネル検出に係るＳ１１の処理動作の内容が異なる。そこで、ここでは、実施例４に係るＳ１１の処理動作を説明し、その他の処理動作については説明を省略する。
【００７８】
図１２は、実施例４に係るＳ１１の処理動作を示したフローチャートである。  本フローでは、まず、利用者により指示された地域に係る地域コードを選択する。尚、利用者による地域指示は、例えば、表示部１０に表示した、地域コードに対応する地域の中から、所望の地域が指示されることによって行われる。
【００７９】
続いて、選択した地域コードを基にチャンネルＤＢ３６を検索し、その選択した地域コードに対応するチャンネル情報をチャンネルＤＢ３６から取得し（Ｓ５７）、取得したチャンネル情報に基づいてテレビジョン放送が行われていない空きチャンネルを検出（取得）する（Ｓ５８）。
【００８０】
尚、このＳ５８では、検出したチャンネル情報が、テレビジョン放送の行われていない空きチャンネルを示したチャンネル情報であった場合には、そのチャンネル情報に示されたチャンネルを空きチャンネルとして検出するものであるが、検出したチャンネル情報が、テレビジョン放送の行われているチャンネルと全チャンネルを示したチャンネル情報であった場合には、そのチャンネル情報に示された、テレビジョン放送が行われているチャンネルと全チャンネルとから、残りの空きチャンネルを検出するものである。
【００８１】
続いて、このＳ５８で検出した空きチャンネルを空きチャンネル記憶部１３に記憶する（Ｓ５９）。
以降のＳ６０乃至Ｓ６２では、前述の図３のＳ２５乃至Ｓ２７と同じ処理が行われる。
以上の実施例４によれば、電子カメラ１は、利用者により指示された地域に係る地域コードに対応するチャンネル情報をチャンネルＤＢ３６から取得し、そのチャンネル情報から空きチャンネルを検出し、その中の一つの空きチャンネルの周波数を用いて撮影画像に係る映像信号をテレビ２に送信することで、テレビ２に撮影画像を表示させることができる。これにより、利用者は、電子カメラ１で撮影した画像をテレビ２で容易に鑑賞すること等ができるようになる。
【００８２】
尚、実施例４の電子カメラ１は、利用者により地域が指定されることで、対応するチャンネル情報を取得するものであったが、例えば、ＧＰＳを利用した位置検出機能や、携帯電話機等に搭載されるような位置検出機能を備えて、検出した位置情報に基づいて地域を特定し、対応するチャンネル情報を取得するようにすることも可能である。
【実施例５】
【００８３】
本実施例において、実施例１、２、３、又は４と異なる点は、電子カメラ１の空きチャンネル検出手法である。
図１３は、本発明に係る実施例５の概念図である。
本実施例において、電子カメラ１は、実施例１のテレビジョン放送電波を受信する機能や、実施例２又は３のテレビ２からの漏れ電波を受信する機能や、実施例４のチャンネルデータベースを備えていない代わりに、テレビ２の表示画面を撮影した画像がテレビジョン放送の行われていないときの画像であるか否かを判定する画像判定機能（同図の（ｇ））を備えており、空きチャンネル検出機能は、その画像判定機能による判定結果に基づいて空きチャンネルを検出するものである。
【００８４】
これにより、電子カメラ１は、テレビ２をコントロールして、テレビ２の電源をＯＮさせ、またテレビ２のチャンネルを特定のチャンネルに切り換えさせ、続いて、テレビ２の表示画面を撮影し、その撮影画像の画像判定を行うことで、その判定結果に基づいて空きチャンネルを検出することが可能になる。
【００８５】
図１４は、実施例５に係る、電子カメラ１とテレビ２の機能ブロック図である。
同図の電子カメラ１において、実施例１に係る電子カメラ１と異なる構成は、図２のテレビ電波受信部１１及び信号強度判定部１２を備えていない代わりに、撮影により得られたテレビ２の表示画面の画像がテレビジョン放送の行われていないときの画像であるか否かの判定を行う画像判定部３７を備えている点である。尚、空きチャンネル記憶部１３には、画像判定部３７によりテレビジョン放送が行われていないときの画像であると判定されたときにテレビ２に設定されているチャンネルが、空きチャンネルとして記憶されるようになる。
【００８６】
一方、実施例５に係るテレビ２の構成は、実施例１に係るものと同じである。
続いて、本実施例に係る、電子カメラ１とテレビ２の動作について説明する。
前述のとおり、本実施例に係る動作は、空きチャンネルの検出動作が、実施例１に係る動作と異なる。すなわち、図３に示した動作のうち、空きチャンネル検出に係るＳ１１の処理動作の内容が異なる。そこで、ここでは、実施例５に係るＳ１１の処理動作及びそれに付随するテレビ２の動作を説明し、その他の処理動作については説明を省略する。
【００８７】
図１５は、実施例５に係るＳ１１の処理動作及びそれに付随するテレビ２の動作を示したフローチャートである。
本フローでは、まず、電子カメラ１において、コントローラ６がテレビ２の電源をＯＮさせるためのコントロール信号を生成し、そのコントロール信号を赤外線送信部１４が無線送信する（Ｓ６６）。一方、テレビ２において、赤外線受信部１７がそのコントロール信号を受信すると、ＴＶ電源部１８がテレビ２の各部への電力供給をＯＮし、テレビ２の電源がＯＮする（Ｓ６７）。
【００８８】
Ｓ６６の後、電子カメラ１では、コントローラ６が、設定可能な全てのチャンネルの中から、本ステップにおいてまだ設定されていない一つのチャネルを設定し（Ｓ６８）、テレビ２のチャンネルをＳ６８で設定したチャンネルに切り換えるためのコントロール信号を生成し、そのコントロール信号を赤外線送信部１４が無線送信する（Ｓ６９）。一方、テレビ２において、赤外線受信部１７がそのコントロール信号を受信すると、コントローラ１６が、テレビ２のチャンネルを、その受信したコントロール信号に応じたチャンネルに切り換える。これにより、テレビ２の表示画面には、切り換えられたチャンネルに応じた表示が為される（Ｓ７０）。例えば、切り換えられたチャンネルが、テレビジョン放送の行われていないチャンネルであった場合には、いわゆる砂嵐状の表示、又は青色或いは灰色等の単一色の表示が為される。
【００８９】
Ｓ６９の後、電子カメラ１では、コントローラ６が撮像部８による撮像を一回又は複数回行わせるための撮影命令信号を生成し、該撮影命令信号に応じて撮像部８が一回又は複数回の撮像を行って一つ又は複数の電子画像を取得し、得られた一つ又は複数の電子画像が記憶部９に記憶される（Ｓ７１）。但し、本ステップにおいて、撮像部８が撮像を行う際には、電子カメラ１の撮影レンズがテレビ２の表示画面に向けられた状態で撮像が行われるものとする。
【００９０】
続いて、コントローラ６が前ステップで記憶された一つ又は複数の電子画像を選択し、画像判定部３７が、その選択した電子画像がテレビジョン放送の行われていないときの画像であるか否かの画像判定を行う（Ｓ７２）。尚、本ステップで行われる画像判定の手法については図１６(a),(b) を用いて後述する。
【００９１】
続いて、その画像判定結果が、テレビジョン放送が行われていないときの画像（無信号状態の画像）であるとした判定結果であるか否かを判定し（Ｓ７３）、その判定結果がＮｏの場合にはＳ６８へ戻り、Ｙｅｓの場合には、この時に、Ｓ６８にて設定されているチャンネルを、空きチャンネルとして空きチャンネル記憶部１３に記憶する（Ｓ７４）。
【００９２】
続いて、設定可能な全てのチャンネルを設定したか否かを判定し（Ｓ７５）、その判定結果がＮｏの場合にはＳ６８へ戻り、Ｙｅｓの場合にはＳ７６へ進む。
以降のＳ７６乃至Ｓ７８では、前述の図３のＳ２５乃至Ｓ２７と同じ処理が行われる。
次に、図１６(a),(b) を用いて、前述のＳ７２で行われる画像判定の手法について説明する。
【００９３】
図１６(a),(b) は、画像判定部３７の構成例を示した図である。同図(a) は、電子画像間の相関値を求めることによって画像判定を行うようにした構成を示し、同図(b) は、電子画像の空間周波数分布特性に基づいて画像判定を行うようにした構成を示している。尚、同図(a),(b) において、記憶部９には、前述のＳ７１で撮影された一つ又は複数の電子画像が記憶されているものとする。
【００９４】
まず、同図(a) の画像判定部３７によって行われる画像判定について説明する。
同図(a) において、画像判定部３７は、領域選択部３８、相関計算部３９、相関値メモリ４０、ピーク検出部４１、判定部４２を有する。
このような構成において、記憶部９から読み出された二つの電子画像が領域選択部３７に入力されると、領域選択部３７は、入力された各電子画像において、テレビ２の表示画面部分に当たる領域を選択し、その選択領域画像を相関計算部３９に出力する。相関計算部３９は、入力された選択領域画像間の相関値（例えば輝度又は明るさの相関値）を計算する。計算された相関値は相関値メモリ４０に記憶される。ピーク検出部４１は、相関値メモリ４０に記憶された相関値から相関値のピークを検出し、その検出結果を判定部４２に出力する。判定部４２は、その検出結果に基づき、テレビジョン放送が行われていないときの画像であるか否かを判定する。
【００９５】
例えば、テレビジョン放送が行われていない空きチャンネルが設定されているときのテレビ２の表示画面は、いわゆる砂嵐状の表示画面、或いは青色等の単一色の表示画面になることから、この場合に撮影された二つの電子画像が画像判定部３７に入力されると、このときの選択領域画像間の相関値からはピークが検出されない。従って、この場合には、判定部４２は、テレビジョン放送が行われていないときの画像であると判定するようにする。
【００９６】
これに対し、テレビジョン放送が行われているチャンネルが設定されているときのテレビ２の表示画面が撮影された二つの電子画像が画像判定部３７に入力されると、このときの選択領域画像間の相関値からはピークが検出される。従って、この場合には、判定部４２は、テレビジョン放送が行われているときの画像であると判定するようにする。
【００９７】
但し、テレビジョン放送が行われているチャンネルが設定されているときのテレビ２の表示画面が撮影された二つの電子画像であっても、テレビジョン放送のシーンチェンジ等によって、このときの選択領域画像間の相関値からピークが検出されず、テレビジョン放送が行われていないときの画像であると判定されてしまう虞がある。
【００９８】
そこで、これを防止するため、この画像判定部３７による画像判定を、一つのペアの画像だけでなく、複数のペアの画像について行うようにし、少なくとも二つ以上のペアの画像について、相関値のピークが検出されなかったときに、テレビジョン放送が行われていないときの画像であると判定するようにすることも可能である。
【００９９】
尚、本例において、予め、テレビジョン放送が行われていないときのテレビ２の表示画面を撮影してその電子画像を取得しておき、領域選択部３８に入力する二つの電子画像のうちの一方を、その予め取得しておいた電子画像とすることも可能である。
一方、同図(b) の画像判定部３７によって行われる画像判定は次のようにして行われる。
【０１００】
同図(b) において、画像判定部３７は、領域選択部３８、複数のバンドパスフィルタ４３（４３−ｉ（ｉ＝１、２、・・・、Ｎ））、複数の積分部４４（４４−ｉ（ｉ＝１、２、・・・、Ｎ））、及び判定部４５を有する。尚、バンドパスフィルタ４３は、例えば、バンドパスフィルタ４３−１から４３−Ｎへ向かうほど、高い（或いは低い）空間周波数の成分（輝度又は明るさの成分）を通過させるものである。
【０１０１】
このような構成において、記憶部９から読み出された電子画像が領域選択部３８に入力されると、領域選択部３８は、入力された電子画像の、テレビ２の表示画面部分に当たる領域を選択し、その選択領域画像を複数のバンドパスフィルタ４３に入力する。複数のバンドバスフィルタ４３の各々は、対応する空間周波数の成分を通過させる。複数の積分部４４の各々は、対応するバンドパスフィルタ４３を通過した空間周波数成分を積分し、その積分値を判定部４５へ出力する。判定部４５は、複数の積分部４４の各々から出力された積分値に基づき、テレビジョン放送が行われてないときの画像であるか否かを判定する。
【０１０２】
例えば、テレビジョン放送が行われていない空きチャンネルが設定されているときのテレビ２の表示画面は、いわゆる砂嵐状の表示画面、或いは青色等の単一色の表示画面になることから、この場合に撮影された電子画像が画像判定部３７に入力されると、複数の積分部４４から出力される各々の積分値の値はほぼ一定となる。従って、この場合には、判定部４５は、テレビジョン放送が行われていないときの画像であると判定するようにする。
【０１０３】
これに対し、テレビジョン放送が行われているチャンネルが設定されているときのテレビ２の表示画面が撮影された電子画像が画像判定部３７に入力されると、複数の積分部４４から出力される各々の積分値に差が生じる。すなわち、低い空間周波数の成分の積分値ほど値が大きくなり、高い空間周波数の成分の積分値ほど値が低くなる。従って、この場合には、判定部４５は、テレビジョン放送が行われているときの画像であると判定するようにする。
【０１０４】
以上の実施例５によれば、電子カメラ１は、テレビ２の表示画面を撮影した電子画像の画像判定を行って空きチャンネルを検出し、その空きチャンネルの周波数を用いて撮影画像に係る映像信号をテレビ２に送信することで、テレビ２に撮影画像を表示させることができる。これにより、利用者は、電子カメラ１で撮影した画像をテレビ２で容易に鑑賞すること等ができるようになる。
【０１０５】
尚、実施例５の空きチャンネル検出動作において、空きチャンネルが一つ検出されたところで、その空きチャンネルを、Ｓ７６の送信チャンネルとして決定するようにすることも可能である。
ところで、上述した実施例１において、電子カメラ１は、テレビジョン放送電波を受信する機能，空きチャンネルを検出する機能，リモコン機能，及び空きチャンネルの周波数を用いて映像信号を無線送信する機能等を備えた情報端末装置を内部に含んだ構成でもある。従って、その情報端末装置を、電子カメラ１から独立した構成とすることも可能である。
【０１０６】
図１７は、その場合の実施例１の概念図である。
同図に示したように、この場合、情報端末装置１ｂは、電子カメラ１ａから送信される電子画像を取得し、一旦、内部の記憶部に記憶する。尚、電子カメラ１ａから情報端末装置１ｂに送信される電子画像は、無線或いは有線により送信される。或いは、電子カメラ１ａの有する電気接点と情報端末装置１ｂの有する電気接点とを直接接触させ、両者の電気接点を介して電子画像が送信されるものであっても良い。
【０１０７】
電子画像を取得した後の情報端末装置１ｂの動作、及びそれに付随するテレビ２の動作は、図３のＳ６の判定結果において再生先がテレビ２であると判定された後に行われる動作と同様の動作が行われる。
このような構成によっても、電子カメラ１ａで撮影した画像をテレビ２で容易に鑑賞することができるようになる。
【０１０８】
また、上述した実施例２又は３においては、電子カメラ１は、テレビ２の漏れ電波を受信する機能，空きチャンネルを検出する機能，リモコン機能，及び空きチャンネルの周波数を用いて映像信号を無線送信する機能等を備えた情報端末装置を内部に含んだ構成でもある。従って、その情報端末装置を、電子カメラ１から独立した構成とすることも可能である。
【０１０９】
不図示ではあるが、この場合も、その情報端末装置は、図１７の情報端末装置１ｂと同様に、電子カメラ１ａから電子画像を取得し、一旦、内部の記憶部に記憶する。そして、以降の情報端末装置の動作、及びそれに付随するテレビ２の動作は、図３のＳ６の判定結果において再生先がテレビ２であると判定された後に行われる動作と同様の動作が行われる。但し、ここでは、Ｓ１１の処理動作として、図７又は図９に示した処理動作が行われる。
【０１１０】
また、上述した実施例４においては、電子カメラ１は、チャンネルデータベース，空きチャンネルを検出する機能，リモコン機能，及び空きチャンネルの周波数を用いて映像信号を無線送信する機能等を備えた情報端末装置を内部に含んだ構成でもある。従って、その情報端末装置を、電子カメラ１から独立した構成とすることも可能である。
【０１１１】
不図示ではあるが、この場合も、その情報端末装置は、図１７の情報端末装置１ｂと同様に、電子カメラ１ａから電子画像を取得し、一旦、内部の記憶部に記憶する。そして、以降の情報端末装置の動作、及びそれに付随するテレビ２の動作は、図３のＳ６の判定結果において再生先がテレビ２であると判定された後に行われる動作と同様の動作が行われる。但し、ここでは、Ｓ１１の処理動作として、図１２に示した処理動作が行われる。
【０１１２】
以上、本発明の装置及び方法について詳細に説明したが、本発明は上記実施形態に限定されず、本発明の要旨を逸脱しない範囲において、各種の改良及び変更を行っても良いのはもちろんである。
【図面の簡単な説明】
【０１１３】
【図１】本発明に係る実施例１の概念図である。
【図２】実施例１に係る、電子カメラとテレビの機能ブロック図である。
【図３】実施例１に係る、電子カメラとテレビの動作を示すフローチャートである。
【図４】Ｓ１１の処理動作を詳細に示したフローチャートである。
【図５】本発明に係る実施例２の概念図である。
【図６】(a) は実施例２に係る、電子カメラとテレビの機能ブロック図、(b) はテレビの一部構成を示した図である。
【図７】実施例２に係る、Ｓ１１の処理動作及びそれに付随するテレビ２の動作を示したフローチャートである。
【図８】(a) は実施例３に係る、電子カメラとテレビの機能ブロック図、(b) はテレビの一部構成を示した図である。
【図９】実施例３に係る、Ｓ１１の処理動作及びそれに付随するテレビ２の動作を示したフローチャートである。
【図１０】本発明に係る実施例４の概念図である。
【図１１】実施例４に係る、電子カメラとテレビの機能ブロック図である。
【図１２】実施例４に係る、Ｓ１１の処理動作を示したフローチャートである。
【図１３】本発明に係る実施例５の概念図である。
【図１４】実施例５に係る、電子カメラとテレビの機能ブロック図である。
【図１５】実施例５に係る、Ｓ１１の処理動作及びそれに付随するテレビ２の動作を示したフローチャートである。
【図１６】(a),(b) は画像判定部の構成例を示した図である。
【図１７】電子カメラから情報端末装置を独立させた場合の実施例１の概念図である。
【符号の説明】
【０１１４】
１      電子カメラ
２      テレビ
３      電波塔
４      ビデオプリンタ
５      ＨＤレコーダ
６      コントローラ
７      入力部
８      撮像部
９      記憶部
１０    表示部
１１    テレビ電波受信部
１２    信号強度判定部
１３    空きチャンネル記憶部
１４    赤外線送信部
１５    テレビ電波送信部
１６    コントローラ
１７    赤外線受信部
１８    ＴＶ電源部
１９    テレビ電波受信部
２０    チューナ
２１    表示部
２２    スピーカ
２３    漏れ電波受信部
２４    漏れ電波信号強度判定部
２５    空中線
２６    高周波増幅部
２７    混合器
２８    局部発振部
２９    フィルタ
３０    中間周波増幅部
３１    復調部
３２    局部発振漏れ電波受信部
３３    漏れ電波周波数検出部
３４    チャンネル特定部
３５    チャンネル設定部
３６    チャンネルＤＢ
３７    画像判定部
３８    領域選択部
３９    相関計算部
４０    相関値メモリ
４１    ピーク検出
４２    判定部
４３    バンドパスフィルタ
４４    積分部
４５    判定部
【図１】
2005252867.tif 000003
【図２】
2005252867.tif 000004
【図３】
2005252867.tif 000005
【図４】
2005252867.tif 000006
【図５】
2005252867.tif 000007
【図６】
2005252867.tif 000008
【図７】
2005252867.tif 000009
【図８】
2005252867.tif 000010
【図９】
2005252867.tif 000011
【図１０】
2005252867.tif 000012
【図１１】
2005252867.tif 000013
【図１２】
2005252867.tif 000014
【図１３】
2005252867.tif 000015
【図１４】
2005252867.tif 000016
【図１５】
2005252867.tif 000017
【図１６】
2005252867.tif 000018
【図１７】
2005252867.tif 000019